(57)【要約】【目的】急激に沈下して、浮き上がるまでに若干の時間を要する事態に遭遇したときに、窒息による事態を避けることが可能な救命胴衣を提供する。【構成】気体の注入によて膨張する気室と、前記気室を収納する胴衣本体１と、前記気室が膨張するときに前記胴衣本体を開放して前記気室を露出させる機構を備えた救命胴衣において、前記胴衣本体に、酸素ボンベ７とレギュレータ８１、８２，８３を含む緊急呼吸装置部を装着可能としたことを特徴とする。【選択図】  図１
2005247034.tif 000002
【特許請求の範囲】
【請求項１】
気体の注入によって膨張する気室と、前記気室を収納する胴衣本体と、前記気室が膨張するときに前記胴衣本体を開放して前記気室を露出させる機構を備えた救命胴衣において、前記胴衣本体に、酸素ボンベとレギュレータを含む緊急呼吸装置部を装着可能としたことを特徴とする救命胴衣。
【請求項２】
前記レギュレータは、前記酸素ボンベ頭部に装着されるレギュレータ本体と唇に銜えて酸素が供給されるマウスピースとこれらを接続する高圧ホースを備えていることを特徴とする請求項１記載の救命胴衣。
【請求項３】
前記胴衣本体は左右の前身頃と後身頃と前記左右の前身頃と後身頃を接続する左右のサイド部を備え、前記左サイド部に酸素ボンベ収納部が設けられ、酸素ボンベが固定されている請求項１または２記載の救命胴衣。
【請求項４】
酸素ボンベ収納部は、酸素ボンベと相似形の収納ポケットと、この収納ポケットを被うポケットカバーと、前記酸素ボンベ頭部を被うボンベ頭部カバーとを備え、前記ポケットカバーは後身頃方向、底部方向の辺が胴衣本体に固定され、左前身頃方向が開放辺になっており、酸素ボンベ頭部に設けられるレギュレータ本体から伸長する高圧ホースは前記ポケットカバーの開放辺の底部より、酸素ボンベ収納部より外側に伸長していることを特徴とする請求項３記載の救命胴衣。
【請求項５】
前記マウスピースは、左前身頃の襟元付近に脱着自在に固定されていることを特徴とする請求項３または４記載の救命胴衣。
【発明の詳細な説明】
【技術分野】
【０００１】
本発明は救命胴衣、さらに詳細にはヘリコプターのパイロットなどの搭乗員が着用するに適した救命胴衣に関する。
【背景技術】
【０００２】
救命胴衣は図４に示すように、たとえばチョッキ状の胴衣本体１内に、気体が注入されて膨張する気室２が折り畳まれて収納されており、着水時にボンベ３が作動して、前記気室２を膨張させるようになっている。すなわち、胴衣本体１の右前身頃から背中を周り左前身頃迄形成された開閉ファスナー４が気室２の膨張にともない、開放されて気室２が露出するようになっている（特願平９−２８２７７０号明細書参照）。
【０００３】
このような構造の救命胴衣は、一般に広く使用されているが、ヘリコプターが遭難し、着水したとき、前記ヘリコプターは急激に沈む傾向があり、上述のような救命胴衣では浮力を得て浮き上がるまでに窒息する恐れがあった。
【特許文献１】特願平９−２８２７７０号明細書
【発明の開示】
【発明が解決しようとする課題】
【０００４】
本発明による課題は、上述のような欠点を除去すること、すなわち、急激に沈下して、浮き上がるまでに若干の時間を要する事態に遭遇したときに、窒息による事態を避けることが可能な救命胴衣を提供することである。
【課題を解決するための手段】
【０００５】
上記課題を解決するため、本発明による救命胴衣は、気体の注入によて膨張する気室と、前記気室を収納する胴衣本体と、前記気室が膨張するときに前記胴衣本体を開放して前記気室を露出させる機構を備えた救命胴衣において、前記胴衣本体に、酸素ボンベとレギュレータを含む緊急呼吸装置部を装着可能としたことを特徴とする。
【発明の効果】
【０００６】
本発明の救命胴衣によれば、救命胴衣本体に酸素ボンベおよびレギュレータを装着したので、水中に沈下しても、この酸素ボンベ中の酸素によって、相当時間水中に留まることが可能になり、生存可能性を著しく向上できる。
【発明を実施するための最良の形態】
【０００７】
本発明による最良の形態においては、本発明による救命胴衣は、気体の注入によって膨張する気室と、前記気室を収納する胴衣本体と、前記気室が膨張するときに前記胴衣本体を開放して前記気室を露出させる機構を備えた救命胴衣において、前記胴衣本体に、酸素ボンベとレギュレータを含む緊急呼吸装置部を装着可能としたことを特徴とする。
【０００８】
さらに、本発明における実施の形態において、前記レギュレータは、前記酸素ボンベ頭部に装着されるレギュレータ本体と唇に銜えて酸素が供給されるマウスピースとこれらを接続する高圧ホースを備えていることを特徴とする。
【０００９】
また、前記胴衣本体は左右の前身頃と後身頃と前記左右の前身頃と後身頃を接続する左右のサイド部を備え、前記左サイド部に酸素ボンベ収納部が設けられ、酸素ボンベが固定されている。
【００１０】
さらに本発明における好ましい形態においては、酸素ボンベ収納部は、酸素ボンベと相似形の収納ポケットと、この収納ポケットを被うポケットカバーと、前記酸素ボンベ頭部を被うボンベ頭部カバーとを備え、前記ポケットカバーは後身頃方向、底部方向の辺が胴衣本体に固定され、左前身頃方向が開放辺になっており、酸素ボンベ頭部に設けられるレギュレータ本体から伸長する高圧ホースは前記ポケットカバーの開放辺の底部より、酸素ボンベ収納部より外側に伸長していることを特徴とする。
【００１１】
さらに、前記マウスピースは、左前身頃の襟元付近に脱着自在に固定されていることを特徴とする。
【実施例】
【００１２】
本発明による救命胴衣によれば、従来と同様に、気室（図示せず）を収納可能な胴衣本体１を備えており、前記胴衣本体１には、たとえば左前身頃１１から右前身頃１２まで首周りを経て開閉可能な開閉ファスナー４が設けられ、気室膨張用のボンベ（図示せず）の作動によって、前記気室が膨張したときにこの開閉ファスナー４が開放されて気室が露出し、浮力を確保可能になっている。
【００１３】
前記胴衣本体１は、前記左前身頃１１および右前身頃１２および後身頃１３を備えており、前記前身頃１１および１２と後身頃１３を接続する左右のサイド部１４、１５を備えた構造になっているとともに、前記左前身頃１１と右前身頃１２はファスナー５（図４参照）によって開閉可能になっている。
【００１４】
前記左前身頃１１と後身頃１３とを接続する左サイド部１４には、酸素ボンベ収納部６が設けられており、一方右サイド部１５には救命胴衣灯、海面着色剤などの救命用の備品を収納するためのポケット１６が設けられた構造になっている。
【００１５】
前記酸素ボンベ収納部６は、図１で拡大部を示したように、酸素ボンベ７（図２参照）を動かないように収納するための収納ポケット６１とこの収納ポケット６１を覆うためのポケットカバー６２と、酸素ボンベ７の上部を覆うボンベ頭部カバー６３よりなっている。そして、前記収納ポケット６１は酸素ボンベ７と相似形形状となっており（ここでは円筒形）、前記酸素ボンベ７をこの収納ポケット６１に挿入して動かないように保持可能である。さらに酸素ボンベ７の首部分７１あるいは後述のレギュレータ本体部分８１を固定するために、固定バンド６４がボンベ頭部カバー６３と前記収納ポケット６１の間に設けられており、前記酸素ボンベ７を固定可能にしてある。前記ポケットカバー６２は、後身頃１３方向及び底部の辺が胴衣本体１に固定されており、一方左前身頃１１方向の辺は固定されていない。この左前身頃側の開放辺６２１の上部内側には面ファスナー６２２が設けられており、胴衣本体１の対応個所に設けられた面ファスナー１６によって、前記収納ポケット６１を覆って閉鎖可能になっている。
【００１６】
前記酸素ボンベ７は、図２に示すように、収納ポケット６１に挿入されて、その首部分７１あるいはレギュレータ本体８１を固定バンド６４によって固定する。そして、ポケットカバー６２で前記収納ポケット６１を被い、前記ポケットカバー６２を面ファスナー６２２と胴衣本体１の面ファスナー１６で固定する。その後、酸素ボンベ７頭部を袋状のボンベ頭部カバー６３で被うことにより、胴衣本体１に酸素ボンベ７を装着させる。
【００１７】
この酸素ボンベ７の頭部にはインジケータ、オン−オフバルブ等が一体化されたレギュレータ本体８１が脱着自在に設けられており、このレギュレータ本体８１とマウスピース８２は高圧ホース８３により接続されている。この高圧ホース８３は、前記ポケットカバー６２内を下降し、ポケットカバー６２の底部の開放辺６２１から酸素ボンベ収納部６外に伸長し、胴衣本体１の裾部分で高圧ホース８３を導くガイド１１１、左前身頃１１の端辺に設けられたガイド１１２に導かれて、左前身頃１１の襟元近傍に脱着自在に収納されるマウスピース８２に接続するようになっている。このように底部の開放辺６２１から外側に高圧ホースを伸長させ、左前身頃１１の襟元付近に導くことにより、この高圧ホース８３が操縦などの作業時に邪魔になることがなくなる。
【００１８】
ここで、レギュレータ本体８１、高圧ホース８３及びマウスピース８２がレギュレータを構成する。またこのレギュレータと酸素ボンベ７により緊急呼吸装置部が構成される。
【００１９】
前記マウスピース８２は図１に示すように左前身頃１１の襟元付近にマウスピースカバー８４によって脱着自在に固定される。マウスピースカバー８４は、袋状のマウスピースカバー本体８５とマウスピース８２を固定するための固定バンド８６とより構成されている。そしてマウスピース８２の銜え部分８２１をマウスピースカバー本体８５に挿入し、銜え部分８２１とマウスピース本体８２２の中間部分８２３に固定バンド８６を捲回し、襟元に固定することができる。
【００２０】
このような構成になっているため、前記酸素ボンベ７を、図２に示すように、収納ポケット６１に挿入し、その首部分を固定バンド６４によって固定する。その後、酸素ボンベ７頭部を袋状のボンベ頭部カバー６３で被うことにより、胴衣本体１に酸素ボンベ７を装着させる。このときレギュレータ本体８１から伸長する高圧ホース８３を前記ポケットカバー６２の開放面６２１より酸素ボンベ収納部６より外側に伸長させる。そして、ポケットカバー６２で前記収納ポケット６１を被い、前記ポケットカバー６２を面ファスナー６２２と胴衣本体１の面ファスナー１６で固定する。
【００２１】
前記高圧ホース８３の先端に設けられたマウスピース８２は、マウスピースカバー本体８５にその銜え部分８２１を挿入し、銜え部分８２１とマウスピース本体８２２の中間部８２３で固定バンド８６により固定する。
【００２２】
このような状態で、着水した場合、前述のように救命胴衣の気室２にボンベ３の気体が注入され膨張し、浮力が確保できる。しかしながら前記気室２が膨張する前に、水中に深く沈降する場合も想定される。このような場合、遭難者は右手で左前身頃１１の襟元付近の固定バンド８６を外し、マウスピース本体８２２を持って引っ張ると、マススピース８２がマウスピースカバー本体８５より抜け、その後マウスピース８２を銜えるとともに、前記酸素ボンベ収納部６のレギュレータ本体８１のオン−オフバルブをオンとすることによって、酸素ボンベ７よりの酸素が高圧ホース８３及び前記マウスピース８２を介して、遭難者に供給される。このため、浮力を得て水面に浮上するまで、酸素を確保することができ、深く沈降した場合にも窒息する心配が無くなる。
【産業上の利用可能性】
【００２３】
救命胴衣本体に酸素ボンベおよびレギュレータを装着したので、水中に沈下しても、この酸素ボンベ中の酸素によって、相当時間水中に留まることが可能になり、生存可能性を著しく向上できる。また酸素ボンベ及びレギュレータを左サイド部及び左前身頃に集中して設けたため、右手の操作だけで容易にマウスピースを銜え、レギュレータをオン状態にすることが可能であり、さらに装着脱着時にも邪魔にならないという利点がある。また、上述の位置関係であるため、操縦などの作業にも邪魔にならないという利点を生じる。
【図面の簡単な説明】
【００２４】
【図１】本発明の救命胴衣の正面図および収納ポケットの構成図。
【図２】前記収納ポケットに酸素ボンベを収納したときの透視図。
【図３】マウスピースの収納方法を説明する図。
【図４】従来の救命胴衣の正面図。
【符号の説明】
【００２５】
１      胴衣本体
２      気室
３      ボンベ
４      開閉ファスナー
５      ファスナー
６      酸素ボンベ収納部
６１    収納ポケット
６２    ポケットカバー
６３    ボンベ頭部カバー
７    酸素ボンベ
８１    レギュレータ本体
８２    マウスピース
８３    高圧ホース
８４    マウスピースカバー
８５    マウスピースカバー本体
８６    固定バンド
【図１】
2005247034.tif 000003
【図２】
2005247034.tif 000004
【図３】
2005247034.tif 000005
【図４】
2005247034.tif 000006